(57)【特許請求の範囲】
【請求項１】
商品の売上処理を実行する商品販売データ処理装置において、
本体ケースと、
前記本体ケースの顧客側に向けられる面に設けられ、電波を介してデータの読取／書込が行われるカードの立てかけた状態での載置を許容するカード載置部と、
前記カード載置部に載置された前記カードに対し、電波の送受信が可能な位置に設けられ、電波を介してデータの読取／書込を行う非接触カードリーダ／ライタと、
前記本体ケースの顧客側に向けられる面に前記カード載置部と隣接し傾斜して設けられ、顧客に対し情報を表示して報知する表示器と、
を備え、
前記カード載置部は、前記表示器とほぼ同じ角度で前記カードの立てかけ方向に傾斜して前記カードの裏面を支持する支持面と、前記支持面に支持された前記カードの落下を防止する角度で傾斜して前記支持面から突出し前記カードの下端を支持する突出部とを有する、
ことを特徴とする商品販売データ処理装置。
【請求項２】
前記カード載置部は着脱自在に設けられており、
前記非接触カードリーダ／ライタも着脱可能に設けられていることを特徴とする請求項１記載の商品販売データ処理装置。
【発明の詳細な説明】
【０００１】
【発明の属する技術分野】
本発明は、商品販売データ処理装置に関する。
【０００２】
【従来の技術】
現在、現金の代わりに決済手段として機能する各種カード、例えば、クレジットカード、デビットカード決済に用いられるキャッシュカード、電子マネーを扱うためのカード等が広く普及している。これらのカードの種類としては、磁気カード、接触ＩＣ（Integrated Circuit）カード、非接触ＩＣカード等がある。
【０００３】
特に、非接触ＩＣカードは、高いセキュリティ機能や優れた利便性等を有しているので、近年、電子マネーを取り扱うプリペイドカードとして採用されている。この非接触ＩＣカードによるプリペイドカードでは、残額が少なくなったプリペイドカードに電子マネーを入金（チャージ）することができる。
【０００４】
このような非接触ＩＣカードを用いた電子決済を行う店舗等には、図９（ａ）及び図９（ｂ）に示すように、非接触ＩＣカードに対しデータの読取／書込を行う専用の非接触カードリーダ／ライタ１００を商品販売データ処理装置１０１に接続して設置する必要があり、さらに、非接触ＩＣカードに電子マネーを入金するカード入金装置１０２を設置する必要がある。
【０００５】
【発明が解決しようとする課題】
しかしながら、このような全ての装置１００，１０１，１０２を店舗に設置するためには、広い設置スペースが必要となるが、通常、商品販売データ処理装置１０１の周辺スペースは限られ、店舗のスペースも限られているので、全ての装置１００，１０１，１０２を設置することは困難である。
【０００６】
特に、コンビニエンスストアでは、商品販売データ処理装置１０１の周辺スペースが商品の受け渡し等の作業を行う場所でもあり、その場所に非接触カードリーダ／ライタ１００が設置されると、その作業が妨げられてしまう。
【０００７】
また、ホームセンター等のように広いスペースを有する店舗には、カード入金装置１０２を設置することができるが、非接触ＩＣカードに電子マネーを入金する場合には、カード入金装置１０２が設置された場所まで顧客が移動する必要があり、顧客に負担をかけることになる。
【０００８】
本発明の目的は、非接触ＩＣカードに対しデータの読取／書込を行うことができ、作業性を向上することができ、さらに、省スペースを実現することができる商品販売データ処理装置を提供することである。
【０００９】
【課題を解決するための手段】
本発明は、商品の売上処理を実行する商品販売データ処理装置（例えばＰＯＳ端末）において、本体ケースとの顧客側に向けられる面に設けられ、電波を介してデータの読取／書込が行われるカード（例えば非接触ＩＣカード）の立てかけた状態での載置を許容するカード載置部と、前記カード載置部に載置された前記カードに対し、電波の送受信が可能な位置に設けられ、電波を介してデータの読取／書込を行う非接触カードリーダ／ライタと、前記本体ケースの顧客側に向けられる面に前記カード載置部と隣接し傾斜して設けられ、顧客に対し情報を表示して報知する表示器と、を備え、前記カード載置部は、前記表示器とほぼ同じ角度で前記カードの立てかけ方向に傾斜して前記カードの裏面を支持する支持面と、前記支持面に支持された前記カードの落下を防止する角度で傾斜して前記支持面から突出し前記カードの下端を支持する突出部とを有する。
【００１０】
したがって、商品販売データ処理装置と非接触カードリーダ／ライタとが一体化され、カード載置部に載置されたカードに対しデータの読取／書込が可能になり、さらに、非接触カードリーダ／ライタ及びカード載置部は商品の受け渡し等の作業を妨げず、省スペースが実現される。
【００１１】
【発明の実施の形態】
本発明の実施の一形態を図１ないし図８に基づいて説明する。本実施の形態は、商品販売データ処理装置をＰＯＳ端末１に適用した一例である。図１は、操作者側から見たＰＯＳ端末１を示す外観斜視図、図２は、顧客側から見たＰＯＳ端末１を示す外観斜視図である。
【００１２】
ＰＯＳ端末１は、筐体状に形成された本体ケース１ａを備え、ドロワ２上に載置されており、このドロワ２の引出し３の開閉を制御する。このＰＯＳ端末１は、本体ケース１ａの上面に操作者の操作を受け付ける領域を備え、その操作領域には、各種のキーが集合するキーボード４、図示しない鍵によって切り換え操作されるコントロールキー５、レシートを排出するレシート発行口６が設けられている。操作者から見て、キーボード４及びコントロールキー５は右側の領域、レシート発行口６は左側の領域にそれぞれ配置されている。
【００１３】
キーボード４には、金額や販売数量等を入力するための置数キーや売上処理において売上処理の締めを宣言するための締めキー、非接触ＩＣカード（以下、ＩＣカードＣとする）に入金された電子マネーによる電子商取引決済を宣言するための電子マネーキー、ＩＣカードＣに電子マネーを入金する電子マネー入金処理を宣言するための入金キー、電子マネー入金処理時の入金額の確定を宣言する入金額確定キー等が設けられている。
【００１４】
また、本体ケース１ａの右側上方には、操作者側の表示器として機能するディスプレイ７が配置され、操作者から見てこのディスプレイ７の奥側には、顧客側の表示器として機能するタッチパネル８ａ付きディスプレイ８が設けられている。このディスプレイ８は、立っている顧客が見やすい角度で傾斜している。さらに、ＰＯＳ端末１には、商品コード等のバーコードを光学的に読み取るためのバーコードスキャナ９が接続されている。加えて、顧客から見てディスプレイ８の右側には、ＩＣカードＣが載置されるカード載置部１０を表面に備えるカバー１１が設けられている。このカバー１１は本体ケース１ａの一部を形成している。
【００１５】
図３は、カバー１１の周辺部を拡大して示す外観斜視図である。図３に示すように、カード載置部１０は、傾斜してＩＣカードＣを支持する支持面１０ａと、この支持面１０ａに支持されたＩＣカードＣの下部に設けられて支持面１０ａに対し突出する突出部１０ｂとから構成されている。支持面１０ａは、ディスプレイ８が傾斜する角度とほぼ同じ角度で傾斜してＩＣカードＣを支持し、突出部１０ｂは、支持面１０ａに支持されたＩＣカードＣの落下を防止する角度で傾斜してＩＣカードＣを支持する。
【００１６】
図４は、カバー１１の内部を示す縦断側面図である。図４に示すように、ＰＯＳ端末１には、非接触でＩＣカードＣに対しデータの読取／書込を行う非接触カードリーダ／ライタ１２が設けられている。この非接触カードリーダ／ライタ１２は、カバー１１内であってカード載置部１０に載置されたＩＣカードＣに対向する位置に位置付けられている。また、ＰＯＳ端末１には、音を出すスピーカ１３が設けられている。このスピーカ１３は、カバー１１内であって非接触カードリーダ／ライタ１２の下方に位置付けられている。
【００１７】
なお、非接触カードリーダ／ライタ１２は、電波を送受信するためのアンテナ１４、緑発光するＬＥＤ１５ａ及び赤発光するＬＥＤ１５ｂを備え、アンテナ１４によってＩＣカードＣと電波を送受信して非接触でデータの読取／書込を行い、さらに、ＬＥＤ１５ａ，１５ｂによってデータの読取／書込異常等を報知する構造になっている。したがって、非接触カードリーダ／ライタ１２は、カード載置部１０に載置されたＩＣカードＣに対し電波の送受信が可能な位置に位置付けられている。
【００１８】
図５は、カバー１１及び非接触カードリーダ／ライタ１２の取付構造を示す縦断側面図である。図５に示すように、カバー１１の端には、複数個の爪部Ｔが設けられており、これらの爪部Ｔが本体ケース１ａに形成された複数個の穴Ｈに嵌められることによって、カバー１１はＰＯＳ端末１に着脱自在に設けられている。そして、非接触カードリーダ／ライタ１２は複数個のネジＮによってＰＯＳ端末１に着脱可能に設けられている。なお、非接触カードリーダ／ライタ１２は、カバー１１の取付構造と同様な取付構造により着脱自在に設けられても良い。
【００１９】
図６は、ＩＣカードＣが備える各部の電気的接続を概略的に示すブロック図である。図６に示すように、ＩＣカードＣはＩＣチップ２０を内蔵している。このＩＣチップ２０は、ＣＰＵ２１にバスライン２２を介して、制御プログラム等を予め格納するＲＯＭ２３、ＲＡＭ２４、不揮発性の記憶部であるＥＥＰＲＯＭ２５、通信回路２６が接続されて構成されている。この通信回路２６は、デジタル信号をアナログ信号に変換し（変調）、アナログ信号をデジタル信号に変換（復調）する回路等を備えている。通信回路２６には、電波を送受信するためのアンテナ２７が接続されている。ＥＥＰＲＯＭ２５には、ＩＤコードや残額データ等が格納されている。そして、このようなＩＣカードＣには、非接触カードリーダ／ライタ１２から送信された電波によってアンテナ２７から電力が供給される。なお、本実施の形態のＩＣカードＣは近接型のＩＣカードＣであり、その通信距離は０〜１０ｃｍである。
【００２０】
次に、ＰＯＳ端末１が備える各部の電気的接続を図７に基づいて説明する。ここで、図７は、ＰＯＳ端末１が備える各部の電気的接続を概略的に示すブロック図である。図７に示すように、ＰＯＳ端末１は、マイクロコンピュータ（Microcomputer：以下、マイコンという）３０を内蔵し、このマイコン３０が各部を駆動制御する。マイコン３０は、各部を集中的に制御するＣＰＵ（Central Processing Unit）３１に、アドレスバス、データバス等のバスライン３２を介して、起動プログラムや認証コード等の固定的データを予め格納するＲＯＭ（Read Only Memory）３３と売上バッファや印字バッファ等の各種バッファを構成して各種データを書き換え自在に格納するワークエリアとして機能するＲＡＭ（Random Access Memory）３４とが接続されて構成されている。なお、ＲＡＭ３４は、バッテリ（図示せず）によってバックアップされている。
【００２１】
次いで、マイコン３０によって駆動制御される各部を説明する。
【００２２】
キーボード４は、キーボード入力回路３５を介してバスライン３２に接続され、キーボード入力回路３５の動作によって、操作されたキーに応じた信号をマイコン３０に入力する。
【００２３】
コントロールキー５は、コントロールキー入力回路３６を介してバスライン３２に接続され、コントロールキー入力回路３６の動作によって、切り換え位置に応じた信号をマイコン３０に入力する。マイコン３０は、コントロールキー５の出力信号に応じて、ＰＯＳ端末１の動作モードを登録モード、設定モード、精算モード、点検モード等の各業務モードに設定する。
【００２４】
ディスプレイ７，８は、表示制御回路３７を介してバスライン３２に接続され、マイコン３０からの表示データが表示制御回路３７に入力されると、表示制御回路３７に駆動されて所定事項を表示する。
【００２５】
タッチパネル８ａは、タッチパネル制御回路３８を介してバスライン３２に接続され、マイコン３０からの表示データがタッチパネル制御回路３８に入力されると、タッチパネル制御回路３８に駆動されて所定事項を表示し、タッチパネル制御回路３８の動作によって、タッチパネル８ａ上に設けられたキーに応じた信号をマイコン３０に入力する。
【００２６】
バーコードスキャナ９は、スキャナ入力回路３９を介してバスライン３２に接続され、スキャナ入力回路３９の動作によって、読み取った商品コードのデータをマイコン３０に送信する。
【００２７】
非接触カードリーダ／ライタ１２は、カードリーダ／ライタ制御回路４０を介してバスライン３２に接続され、カードリーダ／ライタ制御回路４０の動作によって、ＩＣカードＣから受信したデータをマイコン３０に送信し、マイコン３０からのデータをＩＣカードＣに送信する。
【００２８】
スピーカ１３は、スピーカ制御回路４１を介してバスライン３２に接続され、マイコン３０からの信号がスピーカ制御回路４１に入力されると、スピーカ制御回路４１による駆動制御にしたがって音を出す。
【００２９】
ＬＥＤ１５ａ，１５ｂは、点灯制御回路４２を介してバスライン３２に接続され、マイコン３０からの信号が点灯制御回路４２に入力されると、点灯制御回路４２による駆動制御にしたがって点灯／消灯を行う。例えば、緑発光のＬＥＤ１５ａは読取／書込正常時に点灯し、赤発光のＬＥＤ１５ｂは読取／書込異常時に点灯するように点灯制御回路４２によって駆動制御される。
【００３０】
また、ＰＯＳ端末１には、ＨＤＤ４３が内蔵されており、マイコン３０によって駆動制御される。このＨＤＤ４３は、ＨＤＤ制御回路４４を介してバスライン３２に接続されており、制御プログラム、商品マスタファイル、売上ファイル等を記憶している。
【００３１】
さらに、ＰＯＳ端末１には、プリンタ４５が内蔵されており、マイコン３０によって駆動制御される。プリンタ４５は、プリンタ制御回路４６を介してバスライン３２に接続され、マイコン３０からの印字データがプリンタ制御回路４６に入力されると、プリンタ制御回路４６に駆動されてレシート用紙に所定事項を印字する。さらに、プリンタ４５には、カッタ部（図示せず）が内蔵されている。このカッタ部は、マイコン３０によって駆動制御され、レシート用紙を所定の位置において切断し、レシートとしてレシート発行口６から発行する。
【００３２】
ＰＯＳ端末１とは別体で設けられたドロワ２も、マイコン３０によって駆動制御される。ドロワ２は、ドロワ制御回路４７を介してバスライン３２に接続され、マイコン３０からの開放信号に応じてドロワ制御回路４７が駆動されてドロワ２の引出し３の開放を行う。
【００３３】
このような構成において、ＰＯＳ端末１に内蔵されたＨＤＤ４３に格納されたプログラムがマイコン３０に実行させる機能について説明する。なお、本実施の形態においては、従来のＰＯＳ端末によって行われる処理と同様の処理については説明を省略する。
【００３４】
ＩＣカードＣに電子マネーを入金する電子マネー入金処理を図８に基づいて説明する。ここで、図８は、電子マネー入金処理の流れを概略的に示すフローチャートである。
【００３５】
図８に示すように、電子マネー入金処理は、入金キーが押下されるまで待機する（ステップＳ１のＮ）。まず、ＩＣカードＣに対する電子マネーの入金を希望する顧客はカード載置部１０にＩＣカードＣを載置する。このとき、図３に示すように、ＩＣカードＣは、支持面１０ａと突出部１０ｂとにより支持されて、非接触カードリーダ／ライタ１２によってデータの読取／書込が可能な位置に位置付けられる。これにより、ＩＣカードＣに対しデータの読取／書込を行うことが可能になる。次いで、顧客は操作者に電子マネーを入金（チャージ）したい旨を口頭で伝えると、操作者はそれに応じて入金キーを押下する。
【００３６】
電子マネー入金処理は、入金キーが押下されたと判断すると（Ｓ１のＹ）、カード載置部１０に載置されたＩＣカードＣが正規のカードであるか否かの認証を行う（Ｓ２）。詳述すると、ＰＯＳ端末１の非接触カードリーダ／ライタ１２によってＩＣカードＣのＥＥＰＲＯＭ２５からＩＤコードをＰＯＳ端末１のＲＡＭ３４に読み込み、このＩＤコードがＰＯＳ端末１のＲＯＭ３３に格納された認証コードに一致するか否かを判断する。このとき、載置されたＩＣカードＣからＩＤコードが読み取れなかった場合、例えば載置されたカードが磁気カードや接触ＩＣカードであった場合にも、そのＩＣカードＣは正規のカードでないと判断する。
【００３７】
載置されたＩＣカードＣが正規のカードでないと判断した場合には（Ｓ２のＮ）、操作者及び顧客に対しエラー、すなわち正規のカードでないことを数秒間、ディスプレイ７及び赤発光のＬＥＤ１５ｂに報知させ（Ｓ３）、電子マネー入金処理が終了する。
【００３８】
載置されたＩＣカードＣが正規のカードであると判断した場合には（Ｓ２のＹ）、非接触カードリーダ／ライタ１２によってＩＣカードＣのＥＥＰＲＯＭ２５から残額データをＰＯＳ端末１のＲＡＭ３４に読み込み（Ｓ４）、残額や入金額の入力を促す入力メッセージをディスプレイ７に表示させる（Ｓ５）。
【００３９】
次に、電子マネー入金処理は、入金額確定キーが押下されるまで待機する（Ｓ６のＮ）。操作者は、顧客が希望する入金額の金銭を顧客から受け取り、その入金額をキーボート４により入力し、入金額確定キーを押下する。
【００４０】
入金額確定キーが押下されたと判断すると（Ｓ６のＹ）、表示された残額や入力メッセージの表示をディスプレイ７に止めさせ（Ｓ７）、ＰＯＳ端末１のＲＡＭ３４に読み込まれた残額に入金額を加算して更新残額を算出し、非接触カードリーダ／ライタ１２によってＩＣカードＣのＥＥＰＲＯＭ２５に更新残額を残額データとして書き込む（Ｓ８）。
【００４１】
最後に、操作者及び顧客に対し電子マネーの入金が終了したことを数秒間、ディスプレイ７及び緑発光のＬＥＤ１５ａに報知させ（Ｓ９）、電子マネー入金処理が終了する。
【００４２】
このようにして、ＩＣカードＣに電子マネーが入金される。その後、顧客は、電子マネーが入金されたＩＣカードＣをカード載置部１０から取り上げる。このとき、図３に示すように、ＩＣカードＣは、支持面１０ａと突出部１０ｂとによって傾斜した状態で支持されているので、顧客によってスムーズに取り上げられる。
【００４３】
なお、電子マネーが入金されたＩＣカードＣによる電子決済処理においては、通常、顧客が操作者に促されたときにカード載置部１０の上方にＩＣカードＣをかざすことで、非接触カードリーダ／ライタ１２によってＩＣカードＣに対しデータの読取／書込が行われるが、これに限るものではなく、顧客が操作者に促される前にカード載置部１０にＩＣカードＣを載置しておいても良い。
【００４４】
このように本実施の形態においては、ＰＯＳ端末１の顧客側にカード載置部１０を設け、カード載置部１０に載置されたＩＣカードＣと電波の送受信が可能な位置に位置付けてＰＯＳ端末１に非接触カードリーダ／ライタ１２を設けることによって、ＰＯＳ端末１と非接触カードリーダ／ライタ１２とが一体化され、ＩＣカードＣに対しデータの読取／書込を行うことができ、さらに、カード載置部１０は顧客に近い位置に形成され商品の受け渡し等の作業を妨げず、同様に非接触カードリーダ／ライタ１２も作業を妨げないので、作業性を向上することができ、省スペースを実現することができる。
【００４５】
また、本実施の形態においては、カード載置部１０が着脱自在に設けられており、非接触カードリーダ／ライタ１２も着脱可能に設けられているため、カード載置部１０と非接触カードリーダ／ライタ１２とをＰＯＳ端末１に後付けすることが可能になり、ＰＯＳ端末１の製造コストが高くなるという課題を解決し、低コストを実現することができる。
【００４６】
また、本実施の形態においては、顧客側に設けられ、顧客に対し情報を表示して報知する表示器、例えばディスプレイ８を備え、カード載置部１０がディスプレイ８の近傍に設けられているため、顧客がカード載置部１０にＩＣカードＣを載置する際に自然と視界にディスプレイ８が入り、顧客がディスプレイ８を見ないという課題を解決し、ディスプレイ８に表示された情報を顧客に確実に報知することができる。
【００４７】
最後に、本実施の形態においては、カード載置部１０が、傾斜してＩＣカードＣを支持する支持面１０ａと、この支持面１０ａに支持されたＩＣカードの下部に設けられ、支持面１０ａに対し突出する突出部１０ｂとからなるため、ＩＣカードＣが傾斜した状態で支持され、ＩＣカードＣをカード載置部１０に置いたりカード載置部１０から取ったりしにくいという課題を解決し、利便性を向上することができる。
【００４８】
【発明の効果】
本発明によれば、商品販売データ処理装置と非接触カードリーダ／ライタとが一体化されるので、非接触ＩＣカードに対しデータの読取／書込を行うことができ、作業性を向上することができ、さらに、省スペースを実現することができる。
【図面の簡単な説明】
【図１】本発明の実施の一形態の操作者側から見たＰＯＳ端末を示す外観斜視図である。
【図２】顧客側から見たＰＯＳ端末を示す外観斜視図である。
【図３】カバーの周辺部を拡大して示す外観斜視図である。
【図４】カバーの内部を示す縦断側面図である。
【図５】カバー及び非接触カードリーダ／ライタの取付構造を示す縦断側面図である。
【図６】ＩＣカードが備える各部の電気的接続を概略的に示すブロック図である。
【図７】ＰＯＳ端末が備える各部の電気的接続を概略的に示すブロック図である。
【図８】電子マネー入金処理の流れを概略的に示すフローチャートである。
【図９】（ａ）は従来の非接触カードリーダ／ライタ及び商品販売データ処理装置を示す外観斜視図、（ｂ）は従来のカード入金装置を示す外観斜視図である。
【符号の説明】
１…商品販売データ処理装置（ＰＯＳ端末）、８…表示器（ディスプレイ）、１０…カード載置部、１０ａ…支持面、１０ｂ…突出部、１２…非接触カードリーダ／ライタ
【図１】
0003671026.tif 000002
【図２】
0003671026.tif 000003
【図３】
0003671026.tif 000004
【図４】
0003671026.tif 000005
【図５】
0003671026.tif 000006
【図６】
0003671026.tif 000007
【図７】
0003671026.tif 000008
【図８】
0003671026.tif 000009
【図９】
0003671026.tif 000010